(57)【要約】      （修正有）【課題】コインの汚れの程度を正確に評価させ得る汚れ転写装置を提案する。【解決手段】回胴式遊技機に用いられるコインの汚れを転写する汚れ転写装置であって、汚れの転写先となるシートＳＴが配される第１のベース板２と、貫通孔４１が穿設された第２のベース板３と、貫通孔４１に対して回転可能に嵌合されるハンドル部４３、４４、４５と、ハンドル部の先端に設けられ、第１のベース板に配置されるシートの上面におかれるコインＣＮ表面よりも下方の位置において、コインに当接される面をもつ当接部４６と、第１のベース板に設けられ、当該面が当該位置よりも低位置とならないように、第２のベース板の高さを制限する制限部とをもつ構造とした。【選択図】図６
0003137754.tif 000002
【実用新案登録請求の範囲】
【請求項１】
回胴式遊技機に用いられるコインの汚れを転写する汚れ転写装置であって、
上記汚れの転写先となるシートが配される第１のベース板と、
貫通孔が穿設された第２のベース板と、
上記貫通孔に対して回転可能に嵌合されるハンドル部と、
上記ハンドル部の先端に設けられ、上記第１のベース板に配置されるシートの上面におかれるコイン表面よりも下方の位置において、上記コインに当接される当接面をもつ当接部と、
上記第１のベース板に設けられ、上記当接面が上記位置よりも低位置とならないように、上記第２のベース板の高さを制限する制限部と
を具えることを特徴とする汚れ転写装置。
【請求項２】
上記制限部に設けられ、上記第２のベース板を上記制限部に解除可能に留める留め部と、
上記第１のベース板に設けられ、上記シートの側面方向に対する動きを制限して定位置に上記シートを保持するシート保持部と、
上記第２のベース板に設けられ、上記留め部により上記制限部に上記第２のベース板が留められた状態において、上記シート保持部により保持されるシート上の定位置におかれるコインを挟んで、上記第１のベース板に配置されるシートを抑え付ける抑え部と
をさらに具えることを特徴とする請求項１に記載の汚れ転写装置。
【請求項３】
上記当接部と、上記ハンドル部及び上記第２のベース板の嵌合部分との間に介挿され、上記位置に上記当接面を調整するためのスペーサと
をさらに具えることを特徴とする請求項１に記載の汚れ転写装置。
【考案の詳細な説明】
【技術分野】
【０００１】
本考案は汚れ転写装置に関し、回胴式遊技機（パチンコ店等に設置されるスロットマシン（パチスロ））に用いられるコイン（以下、これをパチスロコインとも呼ぶ）に適用して好適なものである。
【背景技術】
【０００２】
パチスロコインは、遊技者の手垢や、酸化物の皮膜等が付着することにより汚れる。この汚れの除去手法には、洗浄や研磨等があり、例えば特開２００７−０８９９３６号公報等に提案されている。
【考案の開示】
【考案が解決しようとする課題】
【０００３】
ところで、パチスロコインの汚れは、パチンコ店に対する苦情（クレーム）の一要因となる。したがって、パチスロコインを清潔に維持することは、遊技者に対するサービスの一環として重要であり、パチンコ店における清潔感の向上、ひいてはパチンコ店に対する評価の向上につながる。
【０００４】
ところが、パチスロコインがどの程度汚れているかの判断は、客観的な評価基準が無いことから、各パチンコ店によって相違する。したがって、例えば複数のパチンコチェーン店を運営する場合、パチンコ運営店は、各パチンコチェーン店に対して、自己の店舗において一定のレベル以上にパチスロコインを清潔に維持すべきことを指導するには困難な状況にあった。
【０００５】
本考案は以上の点を考慮してなされたもので、コインの汚れの程度を正確に評価させ得る汚れ転写装置を提案しようとするものである。
【課題を解決するための手段】
【０００６】
かかる課題を解決するため本考案は、回胴式遊技機に用いられるコインの汚れを転写する汚れ転写装置（１）であって、汚れの転写先となるシート（ＳＴ）が配される第１のベース板（２）と、貫通孔（４１）が穿設された第２のベース板（３）と、貫通孔（４１）に対して回転可能に嵌合されるハンドル部（４３、４４、４５）と、ハンドル部（４３、４４、４５）の先端に設けられ、第１のベース板（２）に配置されるシート（ＳＴ）の上面におかれるコイン（ＣＮ）表面よりも下方の位置において、コイン（ＣＮ）に当接される面（４６Ａ）をもつ当接部（４６）と、第１のベース板（２）に設けられ、当該面（４６Ａ）が当該位置よりも低位置とならないように、第２のベース板（３）の高さを制限する制限部（１０）とをもつ構造とした。
【考案の効果】
【０００７】
本考案による汚れ転写装置では、ハンドル部（４３、４４、４５）が、第２のベース板（３）に対して嵌合されているので、ハンドル部（４３、４４、４５）に対する強制的な押力は、該ハンドル部（４３、４４、４５）の先端の当接部（４６）には伝達されず、ハンドル部（４３、４４、４５）の回転力だけが伝達される。
【０００８】
一方、当接部（４６）は、第１のベース板（２）に配置されるシート（ＳＴ）の上面におかれるコイン（ＣＮ）表面よりも下方の位置において、コイン（ＣＮ）に当接される面（４６Ａ）をもつので、該第１のベース板（２）にシート（ＳＴ）が配置され、そのシート（ＳＴ）上にコイン（ＣＮ）がおかれた場合、第２のベース板（３）が制限部（１０）により制限される高さにあるとき、コイン（ＣＮ）の表面には、当接部（４６）の面（４６Ａ）が、シート（ＳＴ）上におかれたコイン（ＣＮ）の表面位置と、当接部（４６）の面（４６Ａ）があるべき位置との差に起因する一定の押力がコイン（ＣＮ）に加わる状態で当接され、これによりコイン（ＣＮ）は、シート（ＳＴ）に抑え付けられる。
【０００９】
したがって、第２のベース板（３）が制限部（１０）により制限される高さにあるときには、一定の押力がコイン（ＣＮ）に加わるが、該ハンドル部（４３、４４、４５）に対する強制的な押力は加わらず、ハンドル部（４３、４４、４５）の回転力だけが伝達可能となる。
【００１０】
このため、第２のベース板（３）が制限部（１０）により制限される高さにある状態では、コイン（ＣＮ）に付着する汚れを、一定の押力のもとでシート（ＳＴ）に転写させることができ、この結果、コインの汚れの程度を、人、時間又は場所を問わず、正確に評価させ得る汚れ転写装置を実現できる。
【考案を実施するための最良の形態】
【００１１】
図１及び図２において、本考案の一実施の形態による汚れ転写装置の全体構成を示す。この汚れ転写装置１は、第１のベース板２、第２のベース板３、ヒンジ部４及び留め具５を有する。
【００１２】
第１のベース板２及び第２のベース板３は金属でなり、これら第１のベース板２及び第２のベース板３の一端は、互いに対向するように直角に折り曲げられることにより側壁２Ａ、３Ａとして形成される。これら側壁２Ａ、３Ａの外面には、ヒンジ部４の平板４Ａ、４Ｂがそれぞれネジ止めされており、これにより第１のベース板２と、第２のベース板３とはヒンジ部４によって、互いに離間する方向又は接近する方向へ回転可能に連結される。
【００１３】
第１のベース板２の他端は、側壁２Ａと対向するように直角に折り曲げられて側壁２Ｂとして形成されるとともに、その側壁２Ｂの先端部分が側壁２Ａと対向するように直角に折り曲げられて台座２Ｃとして形成される。この側壁２Ｂ及び台座２Ｃが、第１のベース板２と平行に第２のベース板３を支持する支持部１０とされ、該支持部１０によって第１のベース板２に対する第２のベース板３の高さを制限するようになされている。
【００１４】
ヒンジ部４の各平板４Ａ、４Ｂにおけるネジ頭が当接する場合（図２）、第１のベース板２に対して第２のベース板３が開いた状態（以下、これを開状態とも呼ぶ）となる。一方、支持部１０によって第２のベース板３が第１のベース板２と平行となる高さに制限される場合（図１）、第１のベース板２に対して第２のベース板３が閉じた状態（以下、これを閉状態とも呼ぶ）となる。
【００１５】
開状態では、パチスロコインＣＮに付着する汚れの転写先となるシート（以下、これを転写シートとも呼ぶ）ＳＴを配置するための面（以下、これを配置面とも呼ぶ）２Ｄが開放され、当該パチスロコインＣＮ及び転写シートＳＴが配置可能となる。
【００１６】
また、第２のベース板３の他端は、第１のベース板２の側壁２Ｂと平行であって、該側壁２Ｂに対して離間する方向に直角に折り曲げられることにより側壁３Ｂとして形成される。第２のベース板３の側壁３Ｂと、第１のベース板２の側壁２Ｂとの外面には、留め具５がネジ止めされる。
【００１７】
この留め具５は、第１のベース板２における側壁２Ｂの外面に設けられたキャッチ片５Ａと、第２のベース板３における側壁３Ｂの外面に回動自在に設けられたアーム片５Ｂを有し、キャッチ片５Ａがアーム片５Ｂを下方に引っ張った状態で係止する。
【００１８】
したがって、この留め具５は、支持部１０と、第２のベース板３との当接状態（支持部１０によって第２のベース板３が第１のベース板２と平行となる高さに制限されている状態）を、第２のベース板３から支持部１０に対して一定の牽引力が作用する状態で保持し得るようになされている。
【００１９】
かかる構成に加えて、第１のベース板２（図２）には、転写シートの側面方向に対する動きを制限して定位置に転写シートを保持するシート保持部２０と、パチスロコインＣＮの側面方向に対する動きを制限して転写シート上の定位置にパチスロコインＣＮを保持するコイン保持部３０とが配置面２Ｄに設けられる。
【００２０】
シート保持部２０は、直方体形状の転写シートＳＴの短手方向の側面と面接触される１対の金属片２１Ａ及び２１Ｂと、該転写シートＳＴの長手方向の側面と面接触される１対の金属片２２Ａ及び２２Ｂとによって構成される。
【００２１】
この１対の金属片２１Ａ及び２１Ｂは、第１のベース板２における配置面２Ｄのうち、転写シートＳＴにおける長手方向のシート幅だけ離間させて対向配置され、転写シートＳＴにおける短手方向のシート幅と略同一の幅、かつ転写シートＳＴにおける厚み以上の高さに形成されている。したがって、図３に示すように、１対の金属片２１Ａ及び２１Ｂは、配置面２Ｄの定位置に転写シートＳＴが配置された場合、その転写シートＳＴにおける短手方向の側面全体と面接触される。
【００２２】
また１対の金属片２２Ａ及び２２Ｂ（図２）は、第１のベース板２における配置面２Ｄのうち、転写シートＳＴにおける短手方向のシート幅だけ離間させて対向配置され、転写シートＳＴにおける長手方向のシート幅以下の幅、かつ転写シートＳＴにおける厚み未満の高さに形成されている。金属片２２Ａ及び２２Ｂの高さが転写シートＳＴの厚みよりも低くなっているため、図３に示したように、配置面２Ｄの定位置に転写シートＳＴが配置された場合、転写シートＳＴの転写面に対してパチスロコインＣＮを浮かせることなく配置させることができる。
【００２３】
一方、コイン保持部３０（図２）は、円柱形状のパチスロコインＣＮの側面と点接触される突起状金属片３１Ａ及び３１Ｂ、３２Ａ及び３２Ｂと、Ｌ状金属片３３Ａ及び３３Ｂとによって構成される。
【００２４】
直方体形状の転写シートＳＴは、図１又は図３からも明らかなように、その短手方向のシート幅がパチスロコインＣＮの直径よりも短いものに選定されている。したがって、転写シートＳＴの転写面に対してパチスロコインＣＮを配置した場合、パチスロコインＣＮの一部は転写面からはみでることになる。
【００２５】
各突起状金属片３１Ａ及び３１Ｂ、３２Ａ及び３２Ｂ（図２）は、対応するシート保持部２０における金属片２２Ａ及び２２Ｂの上端と一体に形成される。また、各突起状金属片３１Ａ及び３１Ｂ、３２Ａ及び３２Ｂは、転写シートＳＴの転写面の中心上にパチスロコインＣＮの重心が位置するようにパチスロコインＣＮが配置された場合に（図３）、パチスロコインＣＮの外周のうち、転写面に接する部分と、転写面からはみ出る部分との各交点Ｐ１及びＰ２、Ｐ３及びＰ４に位置するように対向配置される。
【００２６】
具体的には、図４に示すように、各突起状金属片３１Ａ及び３１Ｂ、３２Ａ及び３２Ｂは、対応する交点Ｐ１及びＰ２、Ｐ３及びＰ４と同位置に厳密に配置されるのではなく、各交点Ｐ１及びＰ２、Ｐ３及びＰ４間の距離ｄｓ１にゆとりを加えた距離ｄｓ２をもたせて配置される。
【００２７】
したがって、この汚れ転写装置１では、ゆとりを加えた距離をもたせない場合に比して、転写シートＳＴ上の定位置にパチスロコインＣＮを傷つけることなく配置できるようになされている。また、沖縄等で用いられるパチスロコインＣＮのように、一般に用いられるパチスロコインＣＮの径よりも大きい径でなるパチスロコインＣＮも配置することができる。
【００２８】
一方、Ｌ状金属片３３Ａ、３３Ｂは、各突起状金属片３１Ａ及び３１Ｂ、３２Ａ及び３２Ｂの間に、各突起状金属片３１Ａ及び３１Ｂ、３２Ａ及び３２Ｂにより保持されるパチスロコインＣＮの最外側面に位置するように対向配置される。したがって、Ｌ状金属片３３Ａ、３３Ｂは、パチスロコインＣＮの最外側面に点接触し、各突起状金属片３１Ａ及び３１Ｂ、３２Ａ及び３２Ｂによる保持状態を補助できるようになされている。
【００２９】
また、このＬ状金属片３３Ａ、３３Ｂは、互いに離れる方向又は近づく方向のいずれの方向にも調整可能にネジ止めされている。したがって、Ｌ状金属片３３Ａ、３３Ｂは、パチスロコインＣＮの径が異なる場合であっても、当該パチスロコインＣＮの最外側面に点接触させることができるようになされている。
【００３０】
かかる構成に加えて、第２のベース板３（図１又は図２）には、第１のベース板２の配置面２Ｄに配置された転写シートに対して、パチスロコインＣＮの汚れを転写するための転写部４０が設けられている。
【００３１】
具体的には、図５及び図６に示すように、第１のベース板２と平行となる第２のベース板３に対して、転写シートＳＴの定位置に配置されるパチスロコインＣＮ（図１）の中心を通る鉛直線上に貫通孔４１の中心をもつように貫通孔４１が穿設され、当該貫通孔４１に対して、第２のベース板３のうち、第１のベース板２の配置面２Ｄ（図６）と対向する面（以下、これを内面とも呼ぶ）３ＩＮ側から、プラスチックでなるワッシャ４２が、該ワッシャ４２の一端に形成された嵌合部で嵌合される。
【００３２】
このワッシャ４２に対して、内面３ＩＮの裏面（以下、これを外面とも呼ぶ）３ＯＵＴ側から、金属でなる回転心棒４３が、該回転心棒４３の一端に形成された嵌合部で嵌合される。この回転心棒４３の他端には、ハンドル４４が取り付けられ、該ハンドル４４と、回転心棒４３の一端との間には、外面３ＯＵＴに対して所定高でハンドル位置を保持するための支持スペーサ４５が介挿される。
【００３３】
また、回転心棒４３の一端には、内面３ＩＮから、パチスロコインＣＮの表面に当接されるゴム材の当接部４６が、内面３ＩＮに対する当接部４６の位置を微調整するための複数の薄片スペーサ４７１〜４７Ｎを介してネジ固定される。当接部４６は、回転心棒４３の回転軸を中心として、該回転軸と直交する方向に先端面４６Ａを有している。この先端面４６Ａは、パチスロコインＣＮの径よりも小さい円形状でなり、テーパ状に形成される。
【００３４】
このように転写部４０は、第２のベース板３に対して、支持スペーサ４５を介して一定の高さに支受されたハンドル４４によって、該ハンドル４４に取り付けられる回転心棒４３を介して、その先端に取り付けられた当接部４６を回転する構造となっている。
【００３５】
この実施の形態では、配置面２Ｄが閉状態となる場合（支持部１０によって第２のベース板３が第１のベース板２と平行となる高さに制限されている状態の場合（図１））、この先端面４６Ａが、配置面２Ｄの定位置に配置される転写シートＳＴの転写面よりも下方に位置するように、薄片スペーサ４７１〜４７Ｎの枚数が調整される。
【００３６】
したがって、配置面２Ｄの定位置に転写シートＳＴが配置され、該転写シートＳＴ上にパチスロコインＣＮが配置された状態で、第１のベース板２と第２のベース板３とを留め具５により固定した場合（図１）、図６に示したように、パチスロコインＣＮの表面には、一定の押力が加わる状態で当接部４６の先端面４６Ａが当接され、これによりパチスロコインＣＮは、転写シートＳＴに抑え付けられる。
【００３７】
このように薄片スペーサ４７１〜４７Ｎは、パチスロコインＣＮの表面に対する押力量を調整できるようになされている。また、この実施の形態では、支持部１０と、第２のベース板３との当接状態（支持部１０によって第２のベース板３が第１のベース板２と平行となる高さに制限されている状態）を、第２のベース板３から支持部１０に対して一定の牽引力が作用する状態で保持する留め具５が採用されているため（図１）、該牽引力をもたせずに単に固定する場合に比して、パチスロコインＣＮを、より一段と強く転写シートＳＴに抑え付けることができる。
【００３８】
パチスロコインＣＮが転写シートＳＴに抑え付けられた状態で、ハンドル４４を回転させた場合、その回転力が、回転心棒４３を介して当接部４６に伝達され、該当接部４６が、一定の押力で抑え付けられたパチスロコインＣＮを回転するようになされている。この結果、パチスロコインＣＮに付着する汚れは、転写シートＳＴとの摩擦により、該転写シートＳＴに転写される。
【００３９】
ハンドル４４は、第２のベース板３に対して、支持スペーサ４５を介して一定の高さに支受された構造となっているため、該ハンドル４４の回転時に強制的な押力が加えられた場合であっても、該押力は、当接部４６に伝達されず、ハンドル４４の回転力だけが伝達される。したがって、この汚れ転写装置１は、転写シートＳＴに対して、一定の押力に基づいて安定にパチスロコインＣＮを抑え付けることができる。
【００４０】
また、当接部４６にはゴム材が採用されているため、パチスロコインＣＮに対する滑り度を低減することができるようになされている。さらに、当接部４６では、図６に示したように、円形状の先端面４６Ａは端部だけがパチスロコインＣＮの当接面として形成されているため、先端面４６Ａ全体を当接面とする場合に比して、パチスロコインＣＮに作用する力を大きくでき、また端部以外を当接面として形成する場合に比して、パチスロコインＣＮに作用するモーメントを大きくできる。
【００４１】
かかる構成に加えて、第２のベース板３（図３又は図６）には、転写シートＳＴを抑える抑え部５０が設けられる。抑え部５０は、１対の金属片５１Ａ及び５２Ａにより構成される。
【００４２】
この１対の金属片５１Ａ及び５２Ａは、転写シートＳＴにおける短手方向のシート幅と略同一の幅でなり、該１対の金属片５１Ａ及び５２Ａの先端が、配置面２Ｄが閉状態となる場合（支持部１０によって第２のベース板３が第１のベース板２と平行となる高さに制限されている状態の場合（図１））に、配置面２Ｄの定位置に転写シートＳＴの表面よりも下方に位置するように、第２のベース板３と一体に形成される。
【００４３】
したがって、図６に示したように、配置面２Ｄの定位置に転写シートＳＴが配置され、該転写シートＳＴ上にパチスロコインＣＮが配置された状態で、第１のベース板２と第２のベース板３とを留め具５により固定した場合（図１）、転写シートＳＴにおける表面の両端には、当接面４６Ａに伝達される押力とは別の一定の押力が加わる状態で１対の金属片５１Ａ及び５２Ａの先端が当接され、これにより転写シートＳＴは、配置面２Ｄに抑え付けられる。
【００４４】
この場合、上述したように、当接部４６がパチスロコインＣＮを転写シートＳＴに抑え付けており、この状態でハンドル４４を介してパチスロコインＣＮを回転させる。このとき、１対の金属片５１Ａ及び５２Ａの先端が転写シートＳＴを配置面２Ｄに抑え付けていることにより、当該回転に起因する転写シートＳＴのゆがみを抑止することができ、この結果、パチスロコインＣＮに付着する汚れを転写シートＳＴに対して均一に転写させることができる。
【００４５】
以上の構成において、パチンコ店で使用される複数のパチスロコインの汚れの程度(汚れレベル)を評価する場合、ユーザは、該複数のパチスロコインのなかから、所定数のパチスロコインを選択し、選択した各パチスロコインに付着する汚れを、この汚れ転写装置１を用いて、未使用の一の転写シートＳＴに転写させる。
【００４６】
具体的には、ヒンジ部４の各平板４Ａ、４Ｂにおけるネジ頭を当接させて、第１のベース板２に対して第２のベース板３が開いた状態とする（図２）。この状態において、未使用の転写シートＳＴを定位置に配置し、その転写シートＳＴの上面にパチスロコインＣＮをおく（図３）。
【００４７】
そうすると、転写シートＳＴは、シート保持部２０によって短手方向及び長手方向の双方向に対する動きが制限されて定位置に保持され、パチスロコインＣＮは、コイン保持部３０によって側面方向に対する動きが制限されて転写シートＳＴ上の定位置に保持される。この実施の形態では、シート保持部２０（金属片２１Ａ及び２１Ｂ、２２Ａ及び２２Ｂ）が、転写シートＳＴにおける長手方向の側面のうち、少なくとも上端部分を除いて面接触するように形成されているため、該転写シートＳＴの転写面に対してパチスロコインＣＮを浮かせることなく配置することができる。
【００４８】
次いで、第２のベース板３を、第１のベース板２の支持部１０にまで回動させる。この第２のベース板３に設けられた転写部４０では、該第２のベース板３が支持部１０に当接する場合、当接部４６の先端面４６Ａが、薄片スペーサ４７１〜４７Ｎによって、配置面２Ｄの定位置に配置される転写シートＳＴの転写面よりも下方に位置するように調整されている。このため、転写シートＳＴの上面にパチスロコインＣＮがおかれた状態では、第１のベース板２の支持部１０に対して、第２のベース板３が当接される前段階で、当接部４６の先端面４６Ａが、パチスロコインＣＮに当接されることになる。
【００４９】
一方、第１のベース板２と第２のベース板３とを留め具５により固定すると（図１）、パチスロコインＣＮの表面には、転写シートＳＴ上におかれたパチスロコインＣＮの表面位置と、当接部４６の先端面４６Ａがあるべき位置との差に起因する一定の押力が加わることにより、パチスロコインＣＮは転写シートＳＴに抑え付けられる。
【００５０】
また、第２のベース板３が支持部１０に当接する場合、第２のベース板３に設けられた抑え部５０（金属片５１Ａ及び５２Ａ）の先端が、配置面２Ｄの定位置に転写シートＳＴの表面よりも下方に位置するように形成されている。このため、第１のベース板２と第２のベース板３とを留め具５により固定すると、転写シートＳＴにおける表面の両端には、パチスロコインＣＮの表面位置と、１対の金属片５１Ａ及び５２Ａの先端があるべき位置との差に起因する一定の押力が加わる状態で抑え部５０が当接され、これにより転写シートＳＴは、配置面２Ｄに抑え付けられる。
【００５１】
転写部４０のハンドル４４の上部には、１回転の基準となる例えば「△」等のマークが付されており、ユーザは、このマークをもとに、ハンドル４４を所定回数だけ回転させる。
【００５２】
この回転力は、当接部４６に伝達され、該当接部４６が、一定の押力で抑え付けられた状態でパチスロコインＣＮを回転するため、パチスロコインＣＮに付着する汚れは、転写シートＳＴとの摩擦により、該転写シートＳＴに転写される。
【００５３】
ハンドル４４は、第２のベース板３に対して、支持スペーサ４５を介して一定の高さに支受された構造となっているため、該ハンドル４４の回転時に強制的な押力が加えられた場合であっても、該押力は、当接部４６に伝達されず、ハンドル４４の回転力だけが伝達される。したがって、ハンドル４４に対する強制的な押力の有無にかかわらず、転写シートＳＴに対して、一定の押力をパチスロコインＣＮに与え続け、この結果、パチスロコインＣＮに付着する汚れを転写シートＳＴに対して均一に転写させることができる。
【００５４】
また、１対の金属片５１Ａ及び５２Ａの先端が転写シートＳＴを配置面２Ｄに抑え付けていることにより、ユーザのハンドル操作の速さ、つまり回転力の加え方に相違があっても、当該回転に起因する転写シートＳＴのゆがみを抑止し、この結果、パチスロコインＣＮに付着する汚れを転写シートＳＴに対してより均一に転写させることができる。
【００５５】
このようにして、複数のパチスロコインのなかか選択したパチスロコインに付着する汚れを、この汚れ転写装置１を用いて、一定の条件にしたがって転写シートＳＴに転写させる。
【００５６】
複数のパチスロコインのなかから選択したパチスロコインに付着する汚れの転写作業が終わると、ユーザは、この転写作業によって、転写シートＳＴに転写させた汚れが、どのレベルであるかを、評価基準シートに基づいて評価し、当該レベルに応じて、パチンコ店におけるパチスロコインの洗浄の是非等を判断する。なお、汚れの程度(汚れレベル)に対する評価基準の一例を図７に示す。
【００５７】
このように、この汚れ転写装置１は、ハンドルに対する強制的な押力の有無にかかわらず、転写シートＳＴ上におかれるパチスロコインＣＮに対する当接部４６からの押力が一定となる構造を採用している。したがって、各ユーザの個人差によるハンドル操作の相違があっても、転写シートＳＴに対してパチスロコインＣＮに付着する汚れ自体を正確に転写することができる。この結果、パチンコ店におけるパチスロコインＣＮの汚れ状態を客観的に把握でき、一定のレベル以上にパチスロコインＣＮを清潔に維持させて、各パチンコチェーン店全体における評価を簡易に向上させることが可能となる。
【００５８】
以上の構成によれば、ハンドルに対する強制的な押力の有無にかかわらず、転写シートＳＴ上におかれるパチスロコインＣＮに対する当接部４６からの押力が一定となる構造を採用したことにより、各ユーザの個人差によるハンドル操作の相違があっても、転写シートＳＴに対してパチスロコインＣＮに付着する汚れ自体を正確に転写することができ、かくしてコインの汚れの程度を正確に評価させ得る汚れ転写装置１を実現できる。
【００５９】
なお上述の実施の形態においては、直方体形状の転写シートＳＴの短手方向の側面と面接触される１対の金属片２１Ａ及び２１Ｂと、該転写シートＳＴの長手方向の側面と面接触される１対の金属片２２Ａ及び２２Ｂとによってシート保持部２０を構成するようにした場合について述べたが、本考案はこれに限らず、これ以外の構成によってシート保持部を構成するようにしてもよい。
【００６０】
例えば、図２との対応部分に同一符号を付して示す図８のように、転写シートの短手方向の側面に形成された溝に係合する係合片５２Ａ及び５２Ｂによって側方に対する動きを制限して第１のベース板２の定位置に転写シートを保持するようにしてもよく、また、転写シートの底面に形成された溝に係合する係合片５２Ａ〜５１Ｃによって側方に対する動きを制限して第１のベース板２の定位置に転写シートを保持するようにしてもよい。
【００６１】
また図２との対応部分に同一符号を付して示す図９のように、パチスロコインＣＮよりも表面積が大きい転写シートを配置し、その周側面の一部（又は全部）に面接触する金属片６１Ａ及び６１Ｂによって側方に対する動きを制限して第１のベース板２の定位置に転写シートを保持するようにしてもよい。
【００６２】
また例えば、第１のベース板２の配置面２Ｄと同面積の転写シートを配置し、支持部１０の一部（側壁２Ｂ）と、ヒンジ部４の平版４Ａが固定される側壁２Ａによって側方に対する動きを制限して第１のベース板２の定位置に転写シートを保持するようにしてもよい。
【００６３】
また上述の実施の形態においては、パチスロコインＣＮの側面と点接触される突起状金属片３１Ａ及び３１Ｂ、３２Ａ及び３２Ｂと、Ｌ状金属片３３Ａ及び３３Ｂとによってコイン保持部３０を構成するようにした場合について述べたが、本考案はこれに限らず、これ以外の構成によってコイン保持部を構成するようにしてもよい。
【００６４】
例えば、図９に示したように、Ｌ字状金属片７１Ａ〜７１ＤによってパチスロコインＣＮの側面の一部を囲むようにして点接触するようにしてもよく、また、全部を囲むようにして面接触するようにしてもよい。
【００６５】
さらに上述の実施の形態においては、断面矩形状の転写シートＳＴを適用するようにした場合について述べたが、本考案はこれに限らず、例えば、図９に示したような円形状や、４つ以外の線分に囲まれた多角形等、この他種々の断面形状を適用することができる。ちなみに、転写シートの断面形状に応じて、シート保持部又はコイン保持部を適宜変更することもできる。
【００６６】
さらに上述の実施の形態においては、第１のベース板２と、第２のベース板３とを回転可能に連結するようにした場合について述べたが、本考案はこれに限らず、例えば、支持部１０の対向端に、当該支持部１０と同じものを設けるようにし、これら支持部１０に対して、第１のベース板２と、第２のベース板３とが互いに離間する方向又は近接する方向へ摺動可能に連結するようにしてもよい。
【００６７】
さらに上述の実施の形態においては、先端面４６Ａが転写シートＳＴの上面よりも低位置とならないように、支持部１０によって第２のベース板の高さを制限するようにした場合について述べたが、本考案はこれに限らず、少なくとも、転写シートＳＴ上におかれるパチスロコインＣＮの表面に対する下方の位置よりも低位置とならないように、制限するものであればよい。
【００６８】
さらに上述の実施の形態においては、ハンドル部として、支持スペーサ４５、ハンドル４４及び回転心棒４３とを別体としたが、本考案はこれに限らず、これら全部又は一部を一体とするようにしてもよく、貫通孔に対して回転可能に嵌合されるものであればよい。
【００６９】
さらに上述の実施の形態においては、薄片スペーサ４７を介挿させて、第１のベース板に配置されるシートの上面におかれるコイン表面よりも下方となる位置を調整可能としたが、本考案はこれに限らず、該コイン表面よりも下方となる定位置に先端面４６Ａが配される構造としてもよい。
【００７０】
さらに上述の実施の形態においては、留め具５によって第２のベース板３が支持部１０に当接される状態を保持するようにしたが、本考案はこれに限らず、留め具５を省略し、ユーザの押力によって第２のベース板３が支持部１０に当接される状態を保持するようにしてもよい。上述のように、ハンドル４４は、第２のベース板３に対して、支持スペーサ４５を介して一定の高さに支受された構造となっているため、該ハンドル４４の回転時に強制的な押力が加えられた場合であっても、該押力は、当接部４６に伝達されず、ハンドル４４の回転力だけが伝達される。したがって、留め具５を省略した場合であっても、ハンドル４４を支持部１０に抑え付けながら回転させるようにすれば、上述の実施の形態の場合と同様の効果を得ることができる。
【図面の簡単な説明】
【００７１】
【図１】本実施の形態による汚れ転写装置（閉状態）を示す斜視図である。
【図２】本実施の形態による汚れ転写装置（開状態）を示す斜視図である。
【図３】転写シート及びパチスロコインが配置された状態を示す略線図である。
【図４】点接触されるコインと金属片との関係を示す上面図である。
【図５】転写部の構成を示す略線図である。
【図６】Ａ−Ａ´断面を示す断面図である。
【図７】汚れレベルに対する評価基準を示す写真である。
【図８】他の実施の形態によるシート保持部と、コイン保持部（１）を示す斜視図である。
【図９】他の実施の形態によるシート保持部と、コイン保持部（２）を示す斜視図である。
【符号の説明】
【００７２】
１……汚れ転写装置、２……第１のベース板、３……第２のベース板、４……ヒンジ部、５……留め具、１０……支持部、２０……シート保持部、３０……コイン保持部、４３……回転心棒、４４……ハンドル、４５……支持スペーサ、４６……当接部、４７……薄片スペーサ、５０……抑え部、ＣＮ……パチスロコイン、ＳＴ……転写シート。
【図１】
0003137754.tif 000003
【図２】
0003137754.tif 000004
【図３】
0003137754.tif 000005
【図４】
0003137754.tif 000006
【図５】
0003137754.tif 000007
【図６】
0003137754.tif 000008
【図８】
0003137754.tif 000009
【図９】
0003137754.tif 000010
【図７】
0003137754.tif 000011